(57)【特許請求の範囲】
【請求項１】
ガイドレールで囲まれた遊技部を形成した遊技盤を収納固定する遊技盤収納フレームを前面枠裏面側に取り付け、該遊技盤収納フレームの一側方に、該遊技盤一側部を係止する遊技盤係止手段を設けるとともに、該遊技盤収納フレーム他側方に、該遊技盤他側部を固定する遊技盤固定手段を設け、さらに、前記遊技盤収納フレーム下方に位置し遊技盤の下端部が載置される載置部の形成されるフレームボードを設けて、遊技盤を着脱交換可能に構成した遊技機において、
前記遊技盤係止手段は、
前記遊技盤収納フレームの内面側から内側方向に所定長さ分延出し、かつ延出端部から遊技盤収納フレーム後方側へ向かって屈曲する断面略Ｌ字状に形成された可撓性を有する係合部材と、前記遊技盤を収納した際に該遊技盤の一側部が当接することにより左右方向の位置決めとなる位置固定部材と、を含んで構成し、
前記遊技盤固定手段は、
当該遊技盤固定手段を前記遊技盤収納フレームに軸支する支軸を支点に操作部材の回動操作で前記遊技盤の他側部を前記遊技盤収納フレームに押圧し狭持する回動係止部材と、前記回動係止部材の支軸の軸受部から延出し、前記操作部材の回動操作時に遊技盤の他側部を押圧して該遊技盤の一側部を前記位置固定部材に当接させる押圧突出部材と、から構成し、
前記遊技盤は、該遊技盤前面の遊技部外側に所要形状の遊技盤前面構成部材を止着してなり、
前記遊技盤一側部の遊技盤前面構成部材には、前記遊技盤係止手段と対応する位置に前記係合部材の先端部が係合可能な係合受部材を形成するとともに、
前記遊技盤他側部の遊技盤前面構成部材には、前記遊技盤固定手段と対応する位置に前記回動係止部材が当接する回動当接部、および前記押圧突出部材が当接する押圧当接部を各々形成し、
前記遊技盤を前記遊技盤収納フレームに収納固定する際には、遊技盤の係合受部材を前記係合部材に係合させるとともに、前記フレームボードの載置部に遊技盤の下端部を載置して支持することにより、遊技盤を遊技盤収納フレームに完全に収納する以前は遊技盤の係合受部材と前記遊技盤係止手段の係合部材とによる係合作用と、遊技盤の下端部を前記フレームボードの載置部に載置させる載置作用とによって遊技盤の前方への転倒を防ぎ、この状態から係合受部材と係合部材との係合箇所を支点として回動させながら遊技盤を遊技盤収納フレームに収納し、さらに前記遊技盤固定手段における操作部材の回動操作により遊技盤を押圧固定するように構成したことを特徴とする遊技機。
【発明の詳細な説明】
【０００１】
【発明の属する技術分野】
本発明は、パチンコ遊技を行う遊技機に係わり、特に遊技盤の着止作業を容易にした遊技機に関する。
【０００２】
【従来の技術】
従来からパチンコ遊技機等の弾発遊技機（以下、遊技機という）では、遊技盤が前面枠に対して（詳しくは、前面枠に金属フレームが取り付けられ、この金属フレームに形成した遊技盤収納部に対して）着脱可能になっており、前面枠を含む枠体ユニットを遊技店に残したまま遊技盤だけを新しいものに交換できるようになっている。この場合、遊技盤の着止作業を簡易化するために、遊技盤の一側を収納保持枠となる機構板（例えば、金属フレーム）の固定器具に掛け止めしてから、遊技盤の他側を回動部材により遊接盤を固定器具側に押圧して固定する技術が実開平４−１２０７８８号公報に開示されている。
【０００３】
また、最近は、遊技盤に設けられているＴＶ表示器、装飾装置などの電気式役物が増加する傾向したり、複雑化する傾向にある。それに伴って、電気式役物から延出するリード線の数が非常に多くなりつつある。
【０００４】
【発明が解決しようとする課題】
しかしながら、従来の遊技機にあっては、遊技盤の取り付けに際して、以下のような問題点があった。
（イ）遊技盤を遊技盤収納フレーム（実開平４−１２０７８８号公報の技術では機構板）に収納する際には、遊技盤の電気式役物から延出するリード線が遊技盤と遊技盤収納フレームとの隙間に挟まれてしまう場合があった。
特に、実際の遊技盤の取付作業時には、挟んでしまったリード線を除外するために、例えば遊技盤から作業者が手を一時的に離す必要がある場合もあり、遊技盤の取付作業がスムーズにいかず、面倒であった。
【０００５】
（ロ）ところで、実開平４−１２０７８８号公報の技術では、遊技盤の背面に垂れ下がっているリ一ド線に関しては何の記述もない。したがって、実開平４−１２０７８８号公報の技術によると、遊技盤収納フレームの内部に遊技盤全体を収納する以前では、遊技盤から手を離した場合に遊技盤が床へ落下してしまう可能性があるという問題点があった。
【０００６】
これは、遊技盤収納時に引っかかったリード線を除外したくても、遊技盤から作業者が手を離すことができないという欠点であった。例えば、片手で遊技盤を支えるには重過ぎて困難であるし、両手で遊技盤を支えると、リード線の除外作業ができなかった。
【０００７】
そこで本発明は、遊技盤を遊技盤収納フレームに固定する際の取り付け作業を容易にすることができる遊技機を提供することを目的としている。
【０００８】
【課題を解決するための手段】
上記目的達成のため、請求項１記載の発明による遊技機は、ガイドレールで囲まれた遊技部を形成した遊技盤を収納固定する遊技盤収納フレームを前面枠裏面側に取り付け、該遊技盤収納フレームの一側方に、該遊技盤一側部を係止する遊技盤係止手段を設けるとともに、該遊技盤収納フレーム他側方に、該遊技盤他側部を固定する遊技盤固定手段を設け、さらに、前記遊技盤収納フレーム下方に位置し遊技盤の下端部が載置される載置部の形成されるフレームボードを設けて、遊技盤を着脱交換可能に構成した遊技機において、
前記遊技盤係止手段は、
前記遊技盤収納フレームの内面側から内側方向に所定長さ分延出し、かつ延出端部から遊技盤収納フレーム後方側へ向かって屈曲する断面略Ｌ字状に形成された可撓性を有する係合部材と、前記遊技盤を収納した際に該遊技盤の一側部が当接することにより左右方向の位置決めとなる位置固定部材と、を含んで構成し、
前記遊技盤固定手段は、
当該遊技盤固定手段を前記遊技盤収納フレームに軸支する支軸を支点に操作部材の回動操作で前記遊技盤の他側部を前記遊技盤収納フレームに押圧し狭持する回動係止部材と、前記回動係止部材の支軸の軸受部から延出し、前記操作部材の回動操作時に遊技盤の他側部を押圧して該遊技盤の一側部を前記位置固定部材に当接させる押圧突出部材と、から構成し、
前記遊技盤は、該遊技盤前面の遊技部外側に所要形状の遊技盤前面構成部材を止着してなり、
前記遊技盤一側部の遊技盤前面構成部材には、前記遊技盤係止手段と対応する位置に前記係合部材の先端部が係合可能な係合受部材を形成するとともに、
前記遊技盤他側部の遊技盤前面構成部材には、前記遊技盤固定手段と対応する位置に前記回動係止部材が当接する回動当接部、および前記押圧突出部材が当接する押圧当接部を各々形成し、
前記遊技盤を前記遊技盤収納フレームに収納固定する際には、遊技盤の係合受部材を前記係合部材に係合させるとともに、前記フレームボードの載置部に遊技盤の下端部を載置して支持することにより、遊技盤を遊技盤収納フレームに完全に収納する以前は遊技盤の係合受部材と前記遊技盤係止手段の係合部材とによる係合作用と、遊技盤の下端部を前記フレームボードの載置部に載置させる載置作用とによって遊技盤の前方への転倒を防ぎ、この状態から係合受部材と係合部材との係合箇所を支点として回動させながら遊技盤を遊技盤収納フレームに収納し、さらに前記遊技盤固定手段における操作部材の回動操作により遊技盤を押圧固定するように構成したことを特徴とする。
【０００９】
【発明の実施の形態】
以下、本発明の実施の形態をパチンコ遊技機（弾球遊技機であり、以下、遊技機と略称）に適用した一実施例として図面を参照して説明する。
【００１０】
Ａ．遊技機の正面構成
図１は遊技機の正面図である。図１において、１は遊技機であり、遊技機１には遊技媒体貸出装置としてのカード式玉貸機（以下、単に玉貸機という）２が併設されている。遊技機１にカード式玉貸機２を併設したパチンコ装置は、いわゆるＣＲ機（カードリーディング機）と称される。玉貸機２にはカードリーダーが内蔵され、玉貸機２の前面パネル３にはプリペイドカードが挿入されるカード挿入口４が形成されているとともに、前面パネル３（開閉可能な構造）を施錠する鍵装置５が設けられている。
【００１１】
遊技機１は額縁状前面枠１１（以下、適宜、単に前面枠という）と、ガラスを支持する樹脂製のガラス枠１２と、前面枠１１に対して（詳しくは、前面枠１１に金属フレーム１１３（図４参照）が取り付けられ、この金属フレーム１１３に形成した遊技盤収納部１４１に対して）着脱自在に取り付けられ遊技領域の形成された遊技盤１３と、前面表示パネル１４と、前面表示パネル１４の下方の前面操作パネル１５とを有している。額縁状前面枠１１はパチンコ機１を設置している木製の機枠（図１では正面から隠れて見えにくいので符号付け省略）に対して上部蝶番１７および下部蝶番１８によって開閉可能に支持され、ガラス枠１２は額縁状前面枠１１に開閉可能に支持されている。なお、ガラス枠１２は鍵装置１９によって開閉可能に施錠されている。
【００１２】
前面表示パネル１４は一端側が額縁状前面枠１１に開閉可能に支持され、賞球を受ける上皿２１が形成されるとともに、玉を購入するときに操作する玉貸釦２２、プリペイドカードの残高を表示するカード度数表示器（カード残高表示器）２３、プリペイドカードを排出するときに操作するカード排出釦（返却釦）２４、および上皿２１の球を後述の下皿３２に移すために両者を接続する通路を開閉するための開閉レバー２５が設けられている。
前面操作パネル１５には、灰皿３１および下皿３２が形成されるとともに、下皿３２に貯留された球を外部下方に抜くための球抜きレバー３３が設けられている。また、前面操作パネル１５の右端部側には発射装置の発射操作ノブ３４が設けられている。発射操作ノブ３４は１列に整列している遊技球のうち、発射位置にあるものを１個ずつ遊技盤前面の遊技領域内に弾発させる発射装置の操作を行うものである。
【００１３】
ここで、上皿２１は上面が開放して遊技球を貯留可能な球貯留部が形成されるとともに、前面表示パネル１４の前面側から前方に突出し、かつ上皿２１の下側部分が前面表示パネル１４の下端近傍まで延在する膨出形状に形成されている。また、下皿３２は上面が開放して遊技球を貯留可能な球貯留部が形成されるとともに、上皿２１と比較的接近した位置において遊技機１の前面側から前方に突出した膨出形状に形成されるとともに、下皿３２の両側に側壁部材３５ａ、３５ｂが配置されている。そして、膨出形状に形成した上皿２１の下側部分において前面表示パネル１４の当接する当該上皿２１の当接箇所の近傍から上皿２１の前端部にかけて上皿２１の中央底部を左右対象に削り取るように斜昇する斜昇壁面３６が形成され、この斜昇壁面を形成することにより、下皿３２の上方空間を大きく確保して、遊技者が遊技盤１３に目を向けたままで下皿３２の遊技球を掻き出すことが容易で、かつ遊技機１後部の見学者に対して下皿３２に貯留された出玉をアピールすることが可能になっている。
【００１４】
次に、遊技盤１３（図３に遊技盤１３自体の構成を示すが、図１では煩雑になるので、図３に比較して細かい部分は簡略化して図示している）は発射された遊技球を上方から落下させつつアウトあるいはセーフの判定を行う領域であり、入賞口に球が入って有効にセーフとなる場合は所定数の賞品球が球排出装置から排出されて、これが上皿２１に供給される。また、発射操作ノブ３４を操作して球が発射されても、ファールになったときには、パチンコ球が発射位置に戻るか、あるいは下皿３２に排出される。
遊技盤１３における遊技領域はパチンコ球を用いて遊技を行うものであれば、例えばいわゆる「第１種」に属するものあるいは図柄表示装置を備えた「第３種」に属するもの、あるいは他の機種等であっても、任意の構成をとり得るが、一例として本実施例では「第１種」に属するタイプのものを用いている。
【００１５】
遊技盤１３の遊技領域の周囲には弾発された球を遊技領域の上方部まで案内したり、下方のアウト口４１まで案内するなどの機能を有するガイドレール４２が配置されている。また、遊技領域のほぼ中央部にはＴＶ表示器を有する特別図柄表示装置４３が配置されている。特別図柄表示装置４３の下方には、始動入賞口４４が配置されるとともに、特別図柄表示装置４３の作動結果によって遊技球を受け入れない第１の状態から受け入れ易い第２の状態に変動する大入賞口としての変動入賞装置４５が配置されている。
【００１６】
特別図柄表示装置４３は始動入賞口４４に球が入賞したとき、特別図柄（以下、適宜特図という）の内容を変化させ、その図柄が特定の利益状態（例えば、大当りのゾロ目状態：「７７７」など）になると、変動入賞装置４５が開放し、いわゆるＶ入賞を条件に最大限所定のサイクルだけ変動入賞装置４５の開放が継続するような大当りゲームが行われるようになっている。
始動入賞口４４および変動入賞装置４５（大入賞口）には入賞した球を検出可能な球検出センサ（図示略）が設けられているとともに、球検出センサを有しない一般入賞装置が複数設けられている。一般入賞装置としては、特別図柄表示装置４３の上部にある天入賞口４６、特別図柄表示装置４３とほぼ同じ高さの左右側方に配置された一般入賞口４７、４８、特別図柄表示装置４３よりも下方の左右側方に配置された一般入賞口４９、５０がある。
【００１７】
また、遊技領域内の適宜位置には風車と呼ばれる打球方向変換部材が回転自在に複数設置されており、それらは点灯（あるいは点滅）可能な打球方向変換部材と、点灯（あるいは点滅）しない打球方向変換部材とがある。さらに、遊技領域内には障害釘（図示略）が多数植設されているとともに、遊技盤１３内にはサイドランプ５１、５２が設けられている。サイドランプ５１、５２はゲーム内容に応じて適当に点灯あるいは点滅して遊技の臨場感を高めるものである。
一方、遊技機１の額縁状前面枠１１の上部には大当り時に点灯（点滅状態も含む）する大当り表示器５３が設けられているとともに、大当り表示器５３の側方には島設備から球を補給したときに点灯するとともにエラー発生の場合に点滅する補給ランプ５４および賞球排出時および球貸し時に点灯する賞球ランプ５５が設けられている。
【００１８】
Ｂ．遊技盤の収納構造
次に、遊技盤１３の収納構造について説明する。
図２は遊技盤１３の組み立て分解図である。図２において、前面枠１１に金属フレーム１１３が取り付けられるようになっているとともに（図４参照）、金属フレーム１１３は矩形状をなし、遊技盤１３を着脱可能に収納固定する遊技盤収納部１４１が形成されるとともに、図２の手前から紙面に向って左側に遊技盤１３を固定するための複数の遊技盤固定器具１４２、１４３が取り付けられ、右側に遊技盤１３を固定するための複数の遊技盤固定器具１４４、１４５が取り付けられるようになっている。ここで、金属フレーム１１３は遊技盤１３を収納固定する遊技盤収納フレームを構成する。また、遊技盤固定器具１４２、１４３は遊技盤収納フレームの一側方に設けられ、遊技盤１３の一側部を係止する遊技盤係止手段を構成する。遊技盤固定器具１４４、１４５は遊技盤収納フレームの他側方に設けられ、遊技盤１３の他側部を固定する遊技盤固定手段を構成する。
また、金属フレーム１１３の下方部にはフレームボード１５０がビスにより取り付け固定されるようになっている。さらに、金属フレーム１１３の裏面側には、賞球を排出する機構などを備えた裏機構盤（図示は省略）が取り付けられるようになっている。
【００１９】
遊技盤固定器具１４２、１４３は遊技盤１３の一側部を固定（係止）するもので、金属フレーム１１３に対してビス止め固定される。遊技盤固定器具１４２、１４３は金属フレーム１１３の内面側から内側方向に所定長さ分延出し、かつ延出端部から金属フレーム１１３後方側へ向って屈曲する断面ほぼＬ字状に形成された可撓性を有する係合部１４２Ｌ、１４３Ｌ（係合部材に相当）と、遊技盤１３を遊技盤収納部１４１に収納した際に、当該遊技盤１３の一側部が当接することにより左右方向の位置決めとなる位置固定部１４２Ｋ、１４３Ｋ（位置固定部材に相当）とをそれぞれ含んでいる。
【００２０】
一方、遊技盤固定器具１４４、１４５は遊技盤１３の他側部を固定（係止）するもので、金属フレーム１１３に対して支軸１８１（後述の図５参照）にて操作部を回動可能な状態に固定される。遊技盤固定器具１４４、１４５は、当該遊技盤固定器具１４４、１４５を金属フレーム１１３に軸支する支軸１８１を支点に操作部（後述の図６参照）の回動操作で遊技盤１３の他側部を金属フレーム１１３内に押圧し狭持する回動係止部（後述の図６参照）と、回動係止部の支軸１８１の軸受部から延出し操作部の回動操作時に遊技盤１３の他側部を押圧して当該遊技盤１３の一側部を遊技盤固定器具１４２、１４３のそれぞれの位置固定部１４２Ｋ、１４３Ｋに当接させる押圧突出部（後述の図６参照）とをそれぞれ含んでいる。
【００２１】
ここで、一例として遊技盤固定器具１４４の拡大図を図６（ａ）、（ｂ）に示す。遊技盤固定器具１４４には、当該遊技盤固定器具１４４を金属フレーム１１３に軸支する支軸１８１を支点とする操作部１４４Ｓ（操作部材に相当）が形成されている。操作部１４４Ｓは遊技盤１３を遊技盤収納部１４１に収納固定する際に係員が操作を行う部分であり、ほぼＬ字形状の操作部本体１４４Ｓａと、操作部１４４Ｓの一部を遊技盤１３から遠ざかる方向に切り起こすことで、その背面に空間を形成した操作ガイド部１４４Ｓｂとを有している。そして、遊技盤固定器具１４４には、操作部１４４Ｓを回動操作することにより、遊技盤１３の他側部を金属フレーム１１３内に押圧し狭持する回動係止部１４４Ｇ（回動係止部材に相当）が形成されている。
また、遊技盤固定器具１４４には、回動係止部１４４Ｇの支軸１８１の軸受部から延出し操作部１４４Ｓの回動操作時に遊技盤１３の他側部を押圧して当該遊技盤１３の一側部を遊技盤固定器具１４２の位置固定部１４２Ｋに当接させる押圧突出部１４４Ｔ（押圧突出部材に相当）が形成されている。なお、遊技盤固定器具１４５の方は図６に示すような拡大図を示していないが、図５に断面図を示しており、遊技盤固定器具１４４と構造は同様である。
【００２２】
遊技盤１３は、図３に拡大正面図を示すように、その前面の遊技部（遊技領域）の外側に所要形状の装飾部材１６１を止着してなり、遊技盤１３の一側部の装飾部材１６１側には遊技盤固定器具１４２、１４３と対応する位置に、金属フレーム１１３側に形成されているそれぞれの係合部１４２Ｌ、１４３Ｌの先端部が係合可能な係合受部材１６２、１６３が設けられている。遊技盤１３の他側部の装飾部材１６１側には遊技盤固定器具１４４、１４５と対応する位置に、金属フレーム１１３側に形成されているそれぞれの回動係止部１４４Ｇ、１４５Ｇ（１４５Ｇは図５参照）が当接する回動当接部１６４Ｋ、１６５Ｋ、および押圧突出部１４４Ｔ（１４５Ｔは図５参照）が当接する押圧当接部１６４Ｔ、１６５Ｔを有する当接部材１６４、１６５がそれぞれ設けられている。
ここで、装飾部材１６１と、係合受部材１６２、１６３と、回動当接部１６４Ｋ、１６５Ｋおよび押圧当接部１６４Ｔ、１６５Ｔを有する当接部材１６４、１６５とは、全体として遊技盤前面構成部材を構成する。
また、上記装飾部材１６１、係合受部材１６２、１６３および当接部材１６４、１６５は、樹脂製で一体的に形成されている。
【００２３】
なお、係合受部材１６２、１６３については、下側に位置する方（係合受部材１６３）が、上側のもの（係合受部材１６３）より側方に突出するように形成されており、これにより、遊技盤１３を遊技盤収納部１４１に入れやすい構造になっている。一方、当接部材１６４、１６５については、上下のものとも側方への突出長さは同様である。
また、遊技盤１３に形成されたアウト口４１の底面から遊技盤１３の下端部に向けて、当該遊技盤１３の板厚全体を所定幅上下方向に切り欠いた接続空間部１６６が形成されている。さらに、遊技盤１３には弾発された球がガイドレール４２に沿って上昇した際に、過度に遊技領域右側にいくのを抑制するためのゴム部材１６７が配置されている。
【００２４】
金属フレーム１１３の下方部に配置されるフレームボード１５０には、合成樹脂を材料として形成された本体に、金属製の発射レール１５１が設けられ、さらに発射装置（発射ユニット）を取り付ける発射装置取付部１５２が形成されている。また、フレームボード１５０の上部には遊技盤１３の下端部が載置される載置部１５３が形成されるとともに、載置部１５３に載置された遊技盤１３の接続空間部１６６と対向する位置に、接続空間部１６６に挿入した状態で載置部１５３の上端面から上方に延出する上方開口の案内樋１５４が形成されている。案内樋１５４は樹脂製でフレームボード１５０と一体成形されている。
【００２５】
案内樋１５４にはアウト口４１からのアウト球を上方開口から受け入れて裏機構盤に形成されているアウト球流下樋（図示略）側へ後方に向って流下案内する案内通路が形成されている。なお、アウト口４１の周囲にはガイドレール４２に沿って落下してくる金属製のアウト球が衝突した場合の保護を行う保護部材１７１が設けられている。
この場合、遊技盤１３での遊技結果でアウトになったアウト球は、ガイドレール４２に沿って落下しアウト口４１に流入し、アウト口４１に流入したアウト球は案内樋１５４の上方開口から受け入れられ、次いで、案内樋１５４によって形成される案内通路により裏機構盤に形成されているアウト球流下樋側へ後方に向って流下案内されて、アウト球流下樋（図示略）に流下し、その後、アウト球はアウト球流下樋を通過して球排出口（図示略）から遊技機１の裏面側へ排出されるようになっている。
【００２６】
次に、遊技盤１３を取り付ける際の構造を詳細に説明する。
図４および図５は、前面枠１１や金属フレーム１１３等を含み、かつ図３における遊技盤１３のｘ−ｘ’の部分で切断した場合の矢視断面図であり、そのうち図４は遊技盤固定器具１４３側の断面図、図５は遊技盤固定器具１４３側のみならず遊技盤固定器具１４５側をも含めた場合の断面図である。
まず、図４を参照して遊技盤固定器具１４３側の取り付け構造を説明すると、前面枠１１に対してビス１９１ａにより金属フレーム１１３が取り付け固定されるとともに、金属フレーム１１３に遊技盤収納部１４１が形成される。図４では、金属フレーム１１３に遊技盤固定器具１４３が取り付けられた状態を示している。遊技盤固定器具１４３は金属フレーム１１３に取り付けられると、可撓性を有する係合部１４３Ｌが金属フレーム１１３の内面側から内側方向に所定長さ分延出するとともに、延出端部から金属フレーム１１３後方側へ向って屈曲した状態で、遊技盤１３の取り付けを受け入れるようになる。また、遊技盤固定器具１４３の位置固定部１４３Ｋは、遊技盤１３の一側部を当接させて左右方向の位置決めを行うことが可能な状態になる。
【００２７】
一方、図５を参照して遊技盤固定器具１４５側の取り付け構造を説明すると、図５では、前面枠１１に対してビス１９１ｂにより金属フレーム１１３が取り付け固定されるとともに、金属フレーム１１３に遊技盤固定器具１４５が取り付けられた状態を示している。遊技盤固定器具１４５は支軸１８１を支点として金属フレーム１１３に軸支されるようになっており、支軸１８１の一方の端部は軸ヘッドとして一体に形成され、他方の端部には支軸１８１の抜けを防止するためにＥリング１８２が挿入されている。遊技盤固定器具１４５は金属フレーム１１３に取り付けられると、支軸１８１を支店として操作部１４５Ｓを回動操作することにより、回動係止部１４５Ｇで遊技盤１３の他側部を金属フレーム１１３内に押圧し狭持することが可能な状態になる。また、押圧突出部１４５Ｔは回動係止部１４５Ｇの支軸１８１の軸受部から延出し操作部１４５Ｓの回動操作時に遊技盤１３の他側部を押圧して当該遊技盤１３の一側部を遊技盤固定器具１４３の位置固定部１４３Ｋに当接させることが可能な状態になる。
【００２８】
以上の構成において、本実施例における遊技盤１３の取り付け作業（すなわち、遊技盤１３の着止作業）について説明し、従来との効果を考察する。
遊技盤１３を金属フレーム１１３の遊技盤収納部１４１に収納して固定する際には、まず遊技盤１３における一側部の係合受部材１６２、１６３を金属フレーム１１３側に固定された遊技盤固定器具１４２、１４３の可撓性を有する係合部１４２Ｌ、１４３Ｌにそれぞれ係合させる。図４では、遊技盤固定器具１４３の係合部１４３Ｌに係合受部材１６３を係合させた状態を示している。
【００２９】
次いで、遊技盤１３の下端部をフレームボード１５０の載置部１５３に載置させて支えながら、係合受部材１６２、１６３と係合部１４２Ｌ、１４３Ｌとの係合箇所を支点として回動させながら遊技盤１３を遊技盤収納部１４１に収納していく。このとき、遊技盤１３の電気式役物から延出するリード線が遊技盤１３と金属フレーム１１３との隙間に挟まれてしまい、そのリード線を除外するために、例えば遊技盤１３から作業者（例えば、遊技店の係員）が手を一時的に離しても、遊技盤１３の下端部をフレームボード１５０の載置部１５３に載置させて支えさせることができ、さらに係合受部材１６２、１６３に係合部１４２Ｌ、１４３Ｌがそれぞれ係合することにより、遊技盤１３が前方へ転倒することを防止するので、遊技盤１３が床へ落下してしまうことはない。
【００３０】
次いで、遊技盤１３における他側部の固定作業に移るが、遊技盤１３の他側部を固定する前の状態では、遊技盤固定器具１４４、１４５は図６（ａ）に示すような待機位置にある（ただし、図６（ａ）では遊技盤固定器具１４４のみを示す）。すなわち、図６（ａ）に示すように遊技盤固定器具１４４は、回動係止部１４４Ｇが遊技盤１３の他側部を金属フレーム１１３内に押圧する前の状態にあり、支軸１８１を支点とする操作部１４４Ｓが回動係止部１４４Ｇを回動させる前の待機位置にある。
この状態から遊技盤１３の他側部を図５に示すように、遊技盤収納部１４１に収納する。次いで、図６（ｂ）に示すように遊技盤固定器具１４４の操作部１４４Ｓを支軸１８１を支点として回動操作し、押圧突出部１４４Ｔにより遊技盤１３の他側部を押圧して当該遊技盤１３の一側部を遊技盤固定器具１４３の位置固定部１４３Ｋに当接させるとともに、回動係止部１４４Ｇにより遊技盤１３の他側部を金属フレーム１１３内に押圧し狭持する（図５の状態）。これにより、遊技盤１３が遊技盤収納部１４１に取り付け固定される。
【００３１】
なお、遊技盤１３を金属フレーム１１３の遊技盤収納部１４１から取り外すには、上記と逆の手順になり、このとき、例えば遊技盤固定器具１４４に着目すると、その操作部１４４Ｓには操作ガイド部１４４Ｓｂが形成され、操作ガイド部１４４Ｓｂの背面に空間が形成されているので、作業者が操作ガイド部１４４Ｓｂの背面空間に指を入れて回動操作することが容易になり、遊技盤１３の取り外し作業効率が高まるという利点がある。
【００３２】
このように本実施例では、遊技盤１３を金属フレーム１１３の遊技盤収納部１４１に収納固定するとき、遊技盤１３の一側部の係合受部材１６２、１６３を金属フレーム１１３側に配置された遊技盤固定器具１４２、１４３の可撓性を有する係合部１４２Ｌ、１４３Ｌにそれぞれ係合させるとともに、フレームボード１５０の載置部１５３に遊技盤１３の下端部を載置して支持しつつ、係合受部材１６２、１６３と係合部１４２Ｌ、１４３Ｌとの係合箇所をそれぞれ支点として回動させながら遊技盤１３を遊技盤収納部１４１に収納し、さらに遊技盤固定器具１４４、１４５における操作部１４４Ｓ、１４４５Ｓの回動操作により遊技盤１３の一側部を遊技盤固定器具１４２、１４３の位置固定部１４２Ｋ、１４３Ｋにそれぞれ当接させ、かつ回動係止部１４４Ｇ、１４５Ｇにより遊技盤１３の他側部を金属フレーム１１３内に押圧し狭持する動作が行われる。したがって、以下の効果を得ることができる。
【００３３】
本実施例では、遊技盤１３を金属フレーム１１３の遊技盤収納部１４１に完全に収納する以前に、遊技盤１３の一側部の係合受部材１６２、１６３と金属フレーム１１３側に配置された遊技盤固定器具１４２、１４３の係合部１４２Ｌ、１４３Ｌとをそれぞれ係合させる過程がある。また、このとき、遊技盤１３の下端部（底面）がフレームボード１５０の載置部１５３に載置されて支えられる。そのため、上記の状態であれば、遊技盤１３が遊技盤収納部１４１の内部に完全に収納されていなくても、係合作用とフレームボード１５０ヘの載置作用により、遊技盤１３の落下を防ぐことができる。よって、遊技盤１３の取付時に、電気式役物から延出するリード線等が引っかかって手を遊技盤１３から離す必要がある場合であっても、遊技盤１３の落下を恐れることなく、遊技盤１３から手を離すことが可能になり、実開平４−１２０７８８号公報に開示の従来技術と比べて、手早く取り付け作業を行うことが可能になり、遊技盤１３の取付作業がスムーズになり、かつ面倒でなくなる。その結果、遊技盤１３を金属フレーム１１３に固定する際の取り付け作業を容易にすることができる。
【００３４】
また、本実施例では金属フレーム１１３側に配置される遊技盤固定器具１４２、１４３、遊技盤固定器具１４４、１４５、および遊技盤１３側に配置される係合受部材１６２、１６３、当接部材１６４、１６５がそれぞれ上部方向に複数（ここでは２個）設けられているので、複数の各部材（器具も含む概念）によって遊技盤１３が固定され、遊技盤１３を強固に固定することができる。遊技盤１３の取り付け時に、遊技盤１３から手を離した際の、遊技盤１３の落下事故をより一層確実に防止することが可能になる。
さらに、本実施例では遊技盤前面構成部材が装飾部材１６１、係合受部材１６２、１６３および当接部材１６４、１６５を含んで樹脂製で一体的に形成されているので、部品点数を少なくすることができ、遊技機１の組み立て作業が容易になる。
【００３５】
なお、遊技盤前面構成部材を構成する装飾部材１６１、係合受部材１６２、１６３および当接部材１６４、１６５を樹脂製で一体的に形成するのではなく、例えば遊技盤前面構成部材はガイドレール４２の外側に位置する装飾部材１６１を複数の領域に区分可能な構成にするとともに、複数の領域に区分した装飾部材１６１は、係合受部材１６２、１６３、あるいは当接部材１６４、１６５のうちのいずれかを含んで一体的に形成するようにし、かつ装飾部材１６１の複数の領域を組み合せることにより、遊技盤１３への取り付けを行うことな構成としてもよい。
具体的には、図３に括弧書の符号で示すように、装飾部材１６１を３つの領域１６１ａ〜１６１ｃに区分し、領域１６１ａは係合受部材１６２および当接部材１６４を含んで樹脂製で一体的に形成し、領域１６１ｂは係合受部材１６３を含んで樹脂製で一体的に形成し、さらに領域１６１ｃは当接部材１６５を含んで樹脂製で一体的に形成するという構成にし、これらの３つの領域１６１ａ〜１６１ｃを組み合せることにより、遊技盤１３に遊技盤前面構成部材を取り付けるという構成にしてもよい。そのようにすると、本実施例のように遊技盤前面構成部材を１つの部品として製造する場合に比べて、部品の製造が容易（例えば、金型の製造が容易）になるという利点がある。
また、上記領域１６１ａについては、それを２つに区分し、一方が係合受部材１６２を含み、他方が当接部材１６４を含むという構成にしてもよい。
【００３６】
本発明の実施の形態は、上記のような実施の形態に限らず、以下に述べるような各種の変形実施が可能である。
上記実施例は、遊技球を使用した第１種の弾球遊技機に本発明を使用した例であり、本発明は遊技盤を遊技盤収納フレームに着脱可能に構成した遊技機であれば、どのような種類の遊技機にも適用することができる。
【００３７】
【発明の効果】
本発明によれば、遊技盤を遊技盤収納フレームに完全に収納する以前に、遊技盤の一側部の係合受部材と遊技盤収納フレーム側に配置された遊技盤係止手段の先端部とをそれぞれ係合させる過程があり、また、このとき、遊技盤の下端部がフレームボードの載置部に載置されて支えられる。したがって、上記の状態であれば、遊技盤が遊技盤収納フレームの内部に完全に収納されていなくても、係合作用とフレームボードヘの載置作用により、遊技盤の落下を防ぐことができる。よって、遊技盤の取付時に、電気式役物から延出するリード線等が引っかかって手を遊技盤から離す必要がある場合であっても、遊技盤の落下を恐れることなく、遊技盤から手を離すことが可能になり、実開平４−１２０７８８号公報に開示の従来技術と比べて、手早く取り付け作業を行うことが可能になり、遊技盤の取付作業がスムーズになり、かつ面倒でなくなる。その結果、遊技盤を遊技盤収納フレームに固定する際の取り付け作業を容易にすることができる。
【図面の簡単な説明】
【図１】本発明の一実施例の遊技機の正面図である。
【図２】遊技盤の組み立て分解図である。
【図３】遊技盤の正面図である。
【図４】図３におけるｘ−ｘ’矢視断面の一部を示す図である。
【図５】図３におけるｘ−ｘ’矢視断面図である。
【図６】遊技盤固定器具の構成を説明する図である。
【符号の説明】
１  遊技機
１１  額縁状前面枠（前面枠）
１３  遊技盤
１１３  金属フレーム（遊技盤収納フレーム）
１４１  遊技盤収納部
１４２、１４３  遊技盤固定器具（遊技盤係止手段）
１４４、１４５  遊技盤固定器具（遊技盤固定手段）
１５０  フレームボード
１５３  載置部
１６１  装飾部材（遊技盤前面構成部材）
１６２、１６３  係合受部材（遊技盤前面構成部材）
１６４、１６５  当接部材（遊技盤前面構成部材）
【図１】
0003904168.tif 000002
【図２】
0003904168.tif 000003
【図３】
0003904168.tif 000004
【図４】
0003904168.tif 000005
【図５】
0003904168.tif 000006
【図６】
0003904168.tif 000007